(57)【要約】      （修正有）【課題】安価で、デザイン性に優れ、屋内柱設置構造の、ぶらんこ機能、物干し竿機能、高さ調整機能を有したぶら下り健康器具を提供する。【解決手段】左右の柱等に設置する２個のハート形状等のエンプラ成形構造、且つロープＳ字折返しクロス引出シンプル構造化にてのロープロック・アンロック機能付きロープ設置固定構造体と、左右設置のぶら下り及び高さ調整機能用高強度ロープと、左右個々のぶら下りリング等からなり、ロープ設置固定構造体を木造住宅廊下両側柱等に木用ネジ締め等にて天井近傍に固定設置する屋内設置構造とする。【選択図】図１
0003141640.tif 000002
【実用新案登録請求の範囲】
【請求項１】
ぶら下り健康器具において、左右に設置される２個のロープロック・アンロック機能付きロープ設置固定構造体と、左右個々にロープロック・アンロック機能付きロープ設置固定構造体を介しぶら下り握り構造体にぶら下り荷重及び高さ調整荷重にて位置および高さずれが生じない方法にてループ機能状に設置する構造とした２本のぶら下り及び高さ調整機能用高強度ロープと、ぶら下り握り構造体となる１本のぶら下り握り棒、もしくは左右個々（２個）の概、三角形もしくは台形もしくは円形もしくはハート形等のぶら下りリングからなり、そのロープロック・アンロック機能付きロープ設置固定構造体を、木造住宅の廊下等の両側の柱もしくは筋かい等に、直接もしくは壁紙、石膏ボード等を介して、木用ネジ等のネジ締め等にて天井近傍に固定設置する構造としたことを特徴とした、高さ調整可能なるぶら下り健康器具。
【請求項２】
請求項１記載において、ロープロック・アンロック機能付きロープ設置固定構造体を、左右対象構造とすると共に、耐ぶら下り荷重強度とロープ摺動機能性を有する樹脂射出成型筐体構造品とし、その筐体にロープの摺動抵抗が小さくなるＲ面取り等の構造で筐体の上部にぶら下り側部及び高さ調整側部の両側のロープの引掛け引き出し支持兼位置ガイド用穴もしくは溝を設け、その穴もしくは溝の下部に下部ロープ引掛け支持リブの上面に設置するロープ折返し大Ｒ化突起頂点に対しロープ外径分より高く、且つ充分なるロック特性が得られる高さの頂点を有したなだらかなるロープクロスロック機能用高台を形成し、且つその高台部を含めた形でぶら下り荷重に充分に耐えられる強度を確保しうる断面積を有する上部ロープ引掛け支持リブを形成する構造でロープ中間引き出し穴を設け、その穴の下部に、ぶら下り荷重に充分に耐えられる強度を確保しうる断面積を有しロープ折返し大Ｒ化突起を有した下部ロープ引掛け支持リブを形成する構造でロープ位置ガイド兼折り返し引き出し穴もしくは溝を設け、且つロープロック・アンロック機能付きロープ設置固定構造体の柱等取付設置面側に上部のロープの引掛け引き出し支持兼位置ガイド用穴もしくは溝から下部のロープ位置ガイド兼折り返し引き出し穴もしくは溝まで貫通する構造でロープ摺動逃げ溝を設け、更に上部に設けたロープクロスロック機能用高台の下方且つ両サイドに高さ調整側部ロープのクロス外れ防止突起リブを設けた構造とし、ロープを下部ロープ引掛け支持リブに掛けて折り返し上部ロープ引掛け支持リブにロープの両側を掛けて引き出すＳ字折り返し引掛け引き出しにて引き出し、且つ高さ調整側部ロープをロープクロス機能用高台上にてぶら下り側部ロープの下側でクロスさせクロス外れ防止突起リブを介して引き出しぶら下り握り構造体にぶら下り荷重及び高さ調整荷重にて位置ずれしない方法にてループ機能状に設置する、左右対象シンプルロープロック・アンロック機能付きロープ設置固定構造体構造としたことを特徴とした、高さ調整可能なるぶら下り健康器具。
【請求項３】
請求項１、２記載において、ロープロック・アンロック機能付きロープ設置固定構造体の外形形状を、花形、ハート形、蝶形、動物形形状等のインテリアデザイン性のあるものとしたことを特徴とした、高さ調整可能なるぶら下り健康器具。
【請求項４】
請求項１，２、３記載において、ぶら下り握り構造体を一本の木製棒とし、ロープの取付構造を棒の両端面近傍にロープ外径より若干大きい貫通穴をあけ、ぶら下り側部ロープエンドを上側から通し、その下側で高さ調整側部ロープエンドとの両エンドを結わえて固く結ぶ構造としたことを特徴とした、屋内物干し竿機能を備えた高さ調整可能なるぶら下り健康器具。
【請求項５】
請求項１，２、３記載において、ぶら下り握り構造体を、左右個々（２個）の概、三角形もしくは台形もしくは円形もしくはハート形等のぶら下りリング構造で、且つロープの取付構造をぶら下りリングの反握り部側となる上部中心部にロープ外径より若干大きい貫通穴を垂直にあけた高強度樹脂成型構造とし、その穴にぶら下り側部ロープエンドを上側から通し、その下側で高さ調整側部ロープエンドとの両エンドを結わえて固く結ぶ構造としたことを特徴とした、高さ調整可能なるぶら下り健康器具。
【請求項６】
請求項１，２、３、５記載において、上部に貫通穴をあけぶら下がり側部ロープエンドを通し下側で高さ調整側部ロープエンドとの両エンドを結ぶ構造とした左右個々（２個）のぶら下りリングの内側握り部に、腰かけ状態でぶらんこ動作ができる適正間隔で安定設置のための溝等を設けた脱着式腰かけプレートを設置する構造とし、ぶらんこ機能を付加する構造としたことを特徴とした、ぶらんこ機能付加兼用の高さ調整可能なるぶら下り健康器具。
【請求項７】
請求項１，２、３、５記載において、上部に貫通穴をあけぶら下がり側部ロープエンドを通し下側で高さ調整側部ロープエンドとの両エンドを結ぶ構造とした左右個々（２個）のぶら下りリングの上端面ぶら下がり側部ロープに、両端面によーと（？マーク形状の木用ネジ付きフック）を設置した脱着式物干しき竿機能棒のよーとを引掛ける形で設置する構造とし、室内物干し竿機能を付加する構造としたことを特徴とした、屋内物干し竿機能付加兼用の高さ調整可能なるぶら下り健康器具。
【考案の詳細な説明】
【技術分野】
【０００１】
本考案は、ぶら下り健康器具に関するものである。
【背景技術】
【０００２】
従来発明は床置き構造品が主流であり、床置き構造品は未使用時の屋内空間活用性弊害等があった。廊下等の空間を活用し廊下等の幅の差異にも対応し且つ廊下等の柱および天井に設置する構造の発明もある。この例として特許文献１や特許文献2に開示されているものがある。
【特許文献１】実開1993−37253号広報
【特許文献２】特開1989−503449号広報
【考案の開示】
【考案が解決しようとする課題】
【０００３】
上記公開文献のように廊下等の幅の差異にも対応し且つ廊下の柱等に設置する構造、および廊下等の天井の梁等に設置する構造で、且つ高さ調整機能を有する構造の発明もあるが、背丈対応範囲、コスト、操作性、インテリアデザイン性等に問題があり、更に天井設置構造発明においては、設置固定木用ネジ等にぶら下り荷重が垂直に作用するため耐ぶら下り荷重対応上の欠点もある。又屋内設置器具として、ぶらんこ機能及び物干し竿機能の兼用化が顧客ニーズとして求められているが、その要求に対応できる構造となっていない。前記不具合を解決し、安価で、容易且つ広範囲の高さ調整が可能で、廊下等の幅の差異にも対応し、インテリアデザイン性に優れた、且つぶらんこ機能及び物干し竿機能も有した、室内天井空間活用設置構造の、ぶらんこ及び物干し竿機能兼用高さ調整可能ぶら下り健康器具を提供することを課題とする。
【課題を解決するための手段】
【０００４】
この課題を解決するための請求項１の考案は、ぶら下り健康器具において、左右に設置される２個のロープロック・アンロック機能付きロープ設置固定構造体と、左右個々にロープロック・アンロック機能付きロープ設置固定構造体を介しぶら下り握り構造体にぶら下り荷重及び高さ調整荷重にて位置および高さずれが生じない方法にてループ機能状に設置する構造とした２本のぶら下り及び高さ調整機能用高強度ロープと、ぶら下り握り構造体となる１本のぶら下り握り棒、もしくは左右個々（２個）の概、三角形もしくは台形もしくは円形もしくはハート形等のぶら下りリングからなり、そのロープロック・アンロック機能付きロープ設置固定構造体を、木造住宅の廊下等の両側の柱もしくは筋かい等に、直接もしくは壁紙、石膏ボード等を介して、木用ネジ等のネジ締め等にて天井近傍に固定設置する構造とした。本考案により、廊下等の屋内空き空間を活用したスペース効率性に優れ、且つ廊下等の幅の差異にも対応した、高さ調整可能なるぶら下り健康器具の提供を図ることができる。
【０００５】
請求項２の考案は、請求項１記載において、ロープロック・アンロック機能付きロープ設置固定構造体を、左右対象構造とすると共に、耐ぶら下り荷重強度とロープ摺動機能性を有する樹脂射出成型筐体構造品とし、その筐体にロープの摺動抵抗が小さくなるＲ面取り等の構造で筐体の上部にぶら下り側部及び高さ調整側部の両側部のロープの引掛け引き出し支持兼位置ガイド用穴もしくは溝を設け、その穴もしくは溝の下部に下部ロープ引掛け支持リブの上面に設置するロープ折返し大Ｒ化突起頂点に対しロープ外径分より高く、且つ充分なるロック特性が得られる高さの頂点を有したなだらかなるロープクロスロックロック機能用高台を形成し、且つその高台部を含めた形でぶら下り荷重に充分に耐えられる強度を確保しうる断面積を有する上部ロープ引掛け支持リブを形成する構造でロープ中間引き出し穴を設け、その穴の下部に、ぶら下り荷重に充分に耐えられる強度を確保しうる断面積を有しロープ折返し大Ｒ化突起を有した下部ロープ引掛け支持リブを形成する構造でロープ位置ガイド兼折返し引き出し穴もしくは溝を設け、且つロープロック・アンロック機能付きロープ設置固定構造体の柱等取付設置面側に上部のロープの引掛け引き出し支持兼位置ガイド用穴もしくは溝から下部のロープ位置ガイド兼折り返し引き出し穴もしくは溝まで貫通する構造でロープ摺動逃げ溝を設け、更に上部に設けたロープクロスロック機能用高台の下方且つ両サイドに高さ調整側部ロープのクロス外れ防止突起リブを設けた構造とし、ロープを下部ロープ引掛け支持リブに掛けて折り返し上部ロープ引掛け支持リブにロープの両側を掛けて引き出すＳ字折り返し引掛け引き出しにて引き出し、且つ高さ調整側部ロープをロープクロス機能用高台上にてぶら下り側部ロープの下側でクロスさせクロス外れ防止突起リブを介して引き出しぶら下り握り構造体にぶら下り荷重及び高さ調整荷重にて位置ずれしない方法にてループ機能状に設置する、左右対称シンプルロープロック・アンロック機能付きロープ設置固定構造体構造とした。本考案により、シンプル構造化、安価化、および操作性に優れた広範囲高さ調整化を図ることができる。
【０００６】
請求項３の考案は、請求項１、２、３記載において、ロープロック・アンロック機能付きロープ設置固定構造体の外形形状を、花形、ハート形、蝶形、動物形形状等のインテリアデザイン性のあるものとした。本考案により、デザイン性に欠けた機構構造品屋内固定設置拒絶意識の解消化を図ることができる。
【０００７】
請求項４の考案は、請求項１，２、３記載において、ぶら下り握り構造体を一本の木製棒とし、ロープの取付構造を棒の両端面近傍にロープ外径より若干大きい貫通穴を空け、ぶら下り側部ロープエンドを上側から通し、その下側で高さ調整側部ロープエンドとの両エンドを結わえて固く結ぶ構造とした。本考案により、安価化、環境負荷が少ない木製化、および屋内簡易物干し機能の兼用化を図ることができる。
【０００８】
請求項５の考案は、請求項１，２、３記載において、ぶら下り握り構造体を、左右個々（２個）の概、三角形もしくは台形もしくは円形もしくはハート形等のぶら下りリング構
造で、且つロープの取付構造をぶら下りリングの反握り部側となる上部中心部にロープ外径より若干大きい貫通穴を垂直にあけた高強度樹脂成型構造とし、その穴にぶら下り側部ロープエンドを上側から通し、その下側で高さ調整側部ロープエンドとの両エンドを結わえて固く結ぶ構造とした。本考案により、更なる安価と、固定ぶら下がり握り棒式の未使用時の廊下等の通行弊害レス化を図ることができる。
【０００９】
請求項６の考案は、請求項１，２、３、５記載において、上部に貫通穴をあけぶら下がり側部ロープエンドを通し下側で高さ調整側部ロープエンドとの両エンドを結ぶ構造とした左右個々（２個）のぶら下りリングの内側握り部に、腰かけ状態でぶらんこ動作ができる適正間隔で安定設置のための溝等を設けた脱着式腰かけプレートを設置する構造とし、ぶらんこ機能を付加する構造とした。本考案により、安価にて顧客ニーズに答える多機能化を図ることができる。
【００１０】
請求項７の考案は、請求項１，２、３、５記載において、上部に貫通穴をあけぶら下がり側部ロープエンドを通し下側で高さ調整側部ロープエンドとの両エンドを結ぶ構造とした左右個々（２個）のぶら下りリングの上端面ぶら下がり側部ロープに、両端面によーと（？マーク形状の木用ネジ付きフック）を設置した脱着式物干しき竿機能棒のよーとを引掛ける形で設置する構造とし、室内物干し竿機能を付加する構造とした。本考案により、安価にて顧客ニーズに答える多機能化を図ることができる。
【考案の効果】
【００１１】
前項「課題を解決するための手段」で、請求項１から請求項６の考案による効果について個々に記載したとおり、本考案により、廊下等屋内天井空間活用構造化、廊下幅差異対応化、安価化、容易操作性且つ広範囲高さ調整化、ハイデザイン化による非デザイン性機構構造品室内固定設置拒絶意識の解消化、環境負荷軽減化を図ると共に、屋内簡易物干し機能、及びぶらんこ機能の安価付加兼用化を図ることができ、顧客ニーズに叶う、ぶら下り健康器具の提供が可能となる。
【考案を実施するための最良の形態】
【００１２】
図１は、請求項の１、２、３、４、を適用し、ぶら下り握り構造体を環境負荷軽減化を図るべくゴムの木製棒構造とした、室内物干し兼用機能を備えた高さ調整可能なる屋内設置用ぶら下り健康器具の設置使用全体図であり、図２及び図３は、図１記載の、請求項２、３を適用したハート形状の左右対称シンプルロープロック・アンロック機能付きロープ設置固定構造体機構部の拡大正面図および拡大側面図である。
【００１３】
図４は、請求項の１、２、３、５，６，７を適用し、ぶら下り握り構造体を概三角形状のエンプラ製成型ぶら下りリング構造とし、且つそのぶら下りリングの握り部分に脱着式腰掛けプレートを設置することでぶらんことして使用でき、更にそのぶら下りリングの上端面ぶら下がり側部ロープに、両端面によーとを設置した脱着式物干しき竿機能木製棒のよーとを引掛ける形で設置し、屋内物干し竿機能を付加する、ぶらんこ機能、物干し竿機
能付加兼用高さ調整可能なるぶら下り健康器具の設置使用全体図であり、人間（１）がエンプラ製成型ぶら下りリング握り部を握りぶら下がりをしている図と、エンプラ製成型ぶら下りリング握り部に脱着式腰掛けプレートを設置し人間（２）がぶらんこ姿勢にある図、更にエンプラ製成型ぶら下りリングの上端面部ロープに端面ねじ込み設置のよーとを引掛ける形で脱着式物干しき竿機能木製棒を設置した図を、一緒に記載した図である。図５は、図４記載の、請求項５、６を適用した概三角形状エンプラ製成型ぶら下りリングに、外れ防止安定設置溝を有した脱着式木製腰掛けプレートを設置したぶら下りリング、腰かけプレート組合せ部拡大側面図である。本図の腰掛けプレートには外周部にハンガー等設置用の貫通穴を複数設けることでぶらんこ機能と物干し機能を兼用できる構造とした。又、図６は、図４記載の、請求項５、７を適用した、ぶら下りリングの上端面ぶら下がり側部ロープに、端面ねじ込み設置のよーとを引掛ける形で脱着式物干し竿機能棒を設置した、ぶら下りリング、物干し竿機能棒組合せ部拡大上面図である。
【図面の簡単な説明】
【００１４】
【図１】図１は、請求項の１、２、３、４、を適用し、ぶら下り握り構造体を環境負荷軽減化を図るべくゴムの木製棒構造とした、室内物干し兼用機能を備えた高さ調整可能なる屋内設置用ぶら下り健康器具の設置使用全体図である。
【図２】図２は、図１記載の、請求項２、３を適用したハート形状の左右対称シンプルロープロック・アンロック機能付きロープ設置固定構造体機構部の拡大正面図である。
【図３】図３は、図１記載の、請求項２、３を適用し、ハート形状の左右対称シンプルロープロック・アンロック機能付きロープ設置固定構造体機構部の拡大側面図である。
【図４】図４は、請求項の１、２、３、５，６，７を適用し、ぶら下り握り構造体を、概三角形状のエンプラ製成型ぶら下りリング構造とし、且つそのぶら下りリングの握り部分に脱着式腰掛けプレートを設置することでぶらんことして使用でき、更にそのぶら下りリングの上端面ぶら下がり側部ロープに、両端面によーとを設置した脱着式物干しき竿機能木製棒のよーとを引掛ける形で設置し、屋内物干し竿機能を備えた、ぶらんこ機能、物干し竿機能付加兼用高さ調整可能なるぶら下り健康器具の設置使用全体図であり、人間（１）がエンプラ製成型ぶら下りリング握り部を握りぶら下がりをしている図と、エンプラ製成型ぶら下りリング握り部に脱着式腰掛けプレートを設置し人間（２）がぶらんこ姿勢にある図、更にエンプラ製成型ぶら下りリングの上端面部ロープに端面ねじ込み設置のよーとを引掛ける形で脱着式物干しき竿機能木製棒を設置した図を、一緒に記載した図である。
【図５】図５は、図４記載の、請求項５、６を適用した概三角形状エンプラ製成形ぶら下りリングに、外れ防止安定設置溝を有した脱着式木製腰掛けプレートを設置したぶら下りリング、腰かけプレート組合せ部拡大側面図である。
【図６】図６は、図４記載の、請求項５、７を適用した、ぶら下りリングの上端面ぶら下がり側部ロープに、端面ねじ込み設置のよーとを引掛ける形で脱着式物干し竿機能棒を設置した、ぶら下りリング、物干し竿機能棒組合せ部拡大上面図である。
【符号の説明】
【００１５】
1           
人間（１）（大人のぶら下り）
10     人間（２）（子供のぶらんこ）
2      木造住宅廊下設置木製柱
3      木造住宅廊下設置石膏ボード
4      木造住宅廊下床
5      木造住宅廊下天井
6      木造住宅廊下天井部周り縁
1100   シンプルロープロック・アンロック機能付きロープ設置固定構造体機構部
110    左右対称シンプルロープロック・アンロック機能付きロープ設置固定構造体
111    ロープ設置固定構造体ロープ引掛け引き出し支持兼位置ガイド用溝
112     ロープ設置固定構造体ロープ中間引き出し穴
113     ロープ設置固定構造体ロープ位置ガイド兼折り返し引き出し溝
114     ロープ設置固定構造体柱等取付設置面
115     ロープ設置固定構造体ロープ摺動逃げ溝
116     ロープ設置固定構造体ロープクロスロック機能用高台
117     ロープ設置固定構造体ロープ折返し大Ｒ化突起
118     ロープ設置固定構造体高さ調整側ロープのクロス外れ防止突起リブ
1191    ロープ設置固定構造体上部ロープ引掛け支持リブ
1192    ロープ設置固定構造体下部ロープ引掛け支持リブ
120     ぶら下り及び高さ調整機能用高強度ロープ
121     ぶら下り及び高さ調整機能用高強度ロープのぶら下り側部ロープ
122     ぶら下り及び高さ調整機能用高強度ロープの高さ調整側部ロープ
123     ぶら下り及び高さ調整機能用高強度ロープ両エンド結び目
130     木製ぶら下り握り棒（ゴムの木）
131     木製ぶら下り握り棒ロープ通し用貫通穴
140     木用ネジ
D       ぶら下り及び高さ調整機能用高強度ロープ外径
Ｈ       ロープクロス機能用高台／ロープ折返し大Ｒ化突起との段差（Ｈ＞D)
230     概三角形状エンプラ製成型ぶら下りリング
231     概三角形状エンプラ製成型ぶら下りリングのロープ通し用貫通穴
300     安定設置用溝設置脱着式木製腰掛けプレート（ゴムの木製）
301     安定設置用溝設置脱着式木製腰掛けプレートの安定設置用溝部
302     安定設置用溝設置脱着式木製腰掛けプレートのハンガー等設置用貫通穴
400     両端面よーと設置脱着式物干し竿機能木製棒（ゴムの木製）
410     両端面よーと設置脱着式物干し竿機能木製棒の両端面設置よーと
【図１】
0003141640.tif 000003
【図２】
0003141640.tif 000004
【図３】
0003141640.tif 000005
【図４】
0003141640.tif 000006
【図５】
0003141640.tif 000007
【図６】
0003141640.tif 000008
【手続補正書】
【提出日】平成20年1月31日(2008.1.31)
【手続補正１】
【補正対象書類名】図面
【補正対象項目名】全図
【補正方法】変更
【補正の内容】
【図１】
0003141640.tif 000009
【図２】
0003141640.tif 000010
【図３】
0003141640.tif 000011
【図４】
0003141640.tif 000012
【図５】
0003141640.tif 000013
【図６】
0003141640.tif 000014
【手続補正書】
【提出日】平成20年1月31日(2008.1.31)
【手続補正１】
【補正対象書類名】実用新案登録請求の範囲
【補正対象項目名】請求項１
【補正方法】変更
【補正の内容】
【請求項１】
ぶら下り健康器具において、左右に設置される２個のロープロック・アンロック機能付きロープ設置固定構造体と、左右個々にロープロック・アンロック機能付きロープ設置固定構造体を介しぶら下り握り構造体にループ機能状に固定設置する構造とした２本のぶら下り及び高さ調整機能用高強度ロープと、ぶら下り握り構造体となる１本のぶら下り握り棒、もしくは左右個々の概、三角形もしくは台形もしくは円形もしくはハート形等のぶら下りリングからなり、そのロープロック・アンロック機能付きロープ設置固定構造体を、木造住宅の廊下等の両側の柱もしくは筋かい等に、直接もしくは壁紙、石膏ボード等を介して、木用ネジ等のネジ締め等にて天井近傍に固定設置する構造としたことを特徴とした、高さ調整可能なるぶら下り健康器具。
【手続補正２】
【補正対象書類名】実用新案登録請求の範囲
【補正対象項目名】請求項２
【補正方法】変更
【補正の内容】
【請求項２】
請求項１記載の高さ調整可能なるぶら下がり健康器具において、ロープロック・アンロック機能付きロープ設置固定構造体を、左右対象構造とすると共に、耐ぶら下り荷重強度とロープ摺動機能性を有する樹脂射出成型筐体構造品とし、その筐体にロープの摺動抵抗が小さくなるＲ面取り等の構造で筐体の上部にぶら下り側部及び高さ調整側部の両側のロープの引掛け引き出し支持兼位置ガイド用穴もしくは溝を設け、その穴もしくは溝の下部に下部ロープ引掛け支持リブの上面に設置するロープ折返し大Ｒ化突起頂点に対しロープ外径分より高く、且つ充分なるロック特性が得られる高さの頂点を有したなだらかなるロープクロスロック機能用高台を形成し、且つその高台部を含めた形でぶら下り荷重に充分に耐えられる強度を確保しうる断面積を有する上部ロープ引掛け支持リブを形成する構造でロープ中間引き出し穴を設け、その穴の下部に、ぶら下り荷重に充分に耐えられる強度を確保しうる断面積を有しロープ折返し大Ｒ化突起を有した下部ロープ引掛け支持リブを形成する構造でロープ位置ガイド兼折り返し引き出し穴もしくは溝を設け、且つロープロック・アンロック機能付きロープ設置固定構造体の柱等取付設置面側に上部のロープの引掛け引き出し支持兼位置ガイド用穴もしくは溝から下部のロープ位置ガイド兼折り返し引き出し穴もしくは溝まで貫通する構造でロープ摺動逃げ溝を設け、更に上部に設けたロープクロスロック機能用高台の下方且つ両サイドに高さ調整側部ロープのクロス外れ防止突起リブを設けた構造とし、ロープを下部ロープ引掛け支持リブに掛けて折り返し上部ロープ引掛け支持リブにロープの両側を掛けて引き出すＳ字折り返し引掛け引き出しにて引き出し、且つ高さ調整側部ロープをロープクロス機能用高台上にてぶら下り側部ロープの下側でクロスさせクロス外れ防止突起リブを介して引き出しループ機能状に設置する、左右対象シンプルロープロック・アンロック機能付きロープ設置固定構造体構造としたことを特徴とした、高さ調整可能なるぶら下り健康器具。
【手続補正３】
【補正対象書類名】実用新案登録請求の範囲
【補正対象項目名】請求項３
【補正方法】変更
【補正の内容】
【請求項３】
請求項１又は２記載の高さ調整可能なるぶら下がり健康器具において、ロープロック・アンロック機能付きロープ設置固定構造体の外形形状を、花形、ハート形、蝶形、動物形形状等のインテリアデザイン性のあるものとしたことを特徴とした、高さ調整可能なるぶら下り健康器具。
【手続補正４】
【補正対象書類名】実用新案登録請求の範囲
【補正対象項目名】請求項４
【補正方法】変更
【補正の内容】
【請求項４】
請求項１又は２又は３記載の高さ調整可能なるぶら下り健康器具において、ぶら下り握り構造体を一本の木製棒とし、ロープの取付構造を棒の両端面近傍にロープ外径より若干大きい貫通穴をあけ、ぶら下り側部ロープエンドを上側から通し、その下側で高さ調整側部ロープエンドとの両エンドを結わえて固く結ぶ構造としたことを特徴とした、屋内物干し竿機能を備えた高さ調整可能なるぶら下り健康器具。
【手続補正５】
【補正対象書類名】実用新案登録請求の範囲
【補正対象項目名】請求項５
【補正方法】変更
【補正の内容】
【請求項５】
請求項１又は２又は３記載の高さ調整可能なるぶら下り健康器具において、ぶら下り握り構造体を、左右個々の概、三角形もしくは台形もしくは円形もしくはハート形等のぶら下りリング構造で、且つロープの取付構造をぶら下りリングの反握り部側となる上部中心部にロープ外径より若干大きい貫通穴を垂直にあけた高強度樹脂成型構造とし、その穴にぶら下り側部ロープエンドを上側から通し、その下側で高さ調整側部ロープエンドとの両エンドを結わえて固く結ぶ構造としたことを特徴とした、高さ調整可能なるぶら下り健康器具。
【手続補正６】
【補正対象書類名】実用新案登録請求の範囲
【補正対象項目名】請求項６
【補正方法】変更
【補正の内容】
【請求項６】
請求項１、２、３、５のいずれか１項に記載の高さ調整可能なるぶら下り健康器具において、上部に貫通穴をあけぶら下がり側部ロープエンドを通し下側で高さ調整側部ロープエンドとの両エンドを結ぶ構造とした左右個々のぶら下りリングの内側握り部に、腰かけ状態でぶらんこ動作ができる適正間隔で安定設置のための溝等を設けた脱着式腰かけプレートを設置する構造とし、ぶらんこ機能を付加する構造としたことを特徴とした、ぶらんこ機能付加兼用の高さ調整可能なるぶら下り健康器具。
【手続補正７】
【補正対象書類名】実用新案登録請求の範囲
【補正対象項目名】請求項７
【補正方法】変更
【補正の内容】
【請求項７】
請求項１、２、３、５のいずれか１項に記載の高さ調整可能なるぶら下り健康器具において、上部に貫通穴をあけぶら下がり側部ロープエンドを通し下側で高さ調整側部ロープエンドとの両エンドを結ぶ構造とした左右個々のぶら下りリングの上端面ぶら下がり側部ロープに、両端面によーとを設置した脱着式物干しき竿機能棒のよーとを引掛ける形で設置する構造とし、室内物干し竿機能を付加する構造としたことを特徴とした、屋内物干し竿機能付加兼用の高さ調整可能なるぶら下り健康器具。
【手続補正８】
【補正対象書類名】明細書
【補正対象項目名】０００４
【補正方法】変更
【補正の内容】
【０００４】
この課題を解決するための請求項１の考案は、ぶら下り健康器具において、左右に設置される２個のロープロック・アンロック機能付きロープ設置固定構造体と、左右個々にロープロック・アンロック機能付きロープ設置固定構造体を介しループ機能状に固定設置する構造とした２本のぶら下り及び高さ調整機能用高強度ロープと、ぶら下り握り構造体となる１本のぶら下り握り棒、もしくは左右個々の概、三角形もしくは台形もしくは円形もしくはハート形等のぶら下りリングからなり、そのロープロック・アンロック機能付きロープ設置固定構造体を、木造住宅の廊下等の両側の柱もしくは筋かい等に、直接もしくは壁紙、石膏ボード等を介して、木用ネジ等のネジ締め等にて天井近傍に固定設置する構造とした。本考案により、廊下等の屋内空き空間を活用したスペース効率性に優れ、且つ廊下等の幅の差異にも対応した、高さ調整可能なるぶら下り健康器具の提供を図ることができる。